(57)【特許請求の範囲】
【請求項１】
モバイル・ブロードバンド・デバイス（１１０）を専用ゲートウェイ（１２０）に誘導するための前記モバイル・ブロードバンド・デバイス（１１０）内の方法であって、前記専用ゲートウェイがモバイル・ブロードバンド・トラフィックに専用のものであり、
前記モバイル・ブロードバンド・デバイス（１１０）が無線通信ネットワーク（１００）内のユーザ装置（１０５）に含まれ、
前記方法が、
ネットワーク・ノード（１１５）に接続要求メッセージを送信するステップ（２００、３００）であって、前記接続要求が、前記デバイス（１１０）がブロードバンド・デバイスであることを示す情報要素を含み、前記専用ゲートウェイ（１２０）にモバイル・ブロードバンド・トラフィックを送信しなければならないことを示し、前記専用ゲートウェイへの接続のセットアップを要求し、前記ネットワーク・ノード（１１５）が前記無線通信ネットワーク（１００）に含まれるステップと、
前記専用ゲートウェイ（１２０）のアドレス情報を含む接続受諾メッセージを前記ネットワーク・ノード（１１５）から受信するステップ（３０１）と、
前記接続を使用して前記専用ゲートウェイ（１２０）にモバイル・ブロードバンド・トラフィックを送信するステップ（３０２、２０５）であって、前記専用ゲートウェイがモバイル・ブロードバンド・トラフィックに専用のものであるステップと
を含む、方法。
【請求項２】
前記ネットワーク・ノード（１１５）がサービング汎用パケット無線サービス・サポート・ノード「ＳＧＳＮ」又はモビリティ管理エンティティ「ＭＭＥ」である、請求項１記載の方法。
【請求項３】
前記専用ゲートウェイ（１２０）がゲートウェイ汎用パケット無線サービス・サポート・ノード「ＧＧＳＮ」又はサービング・ゲートウェイ「ＳＧＷ」／パケット・ゲートウェイ「ＰＧＷ」である、請求項１記載の方法。
【請求項４】
前記情報要素が高速パケット・アクセスネットワーク「ＨＳＰＡ」又はロング・ターム・エボリューション「ＬＴＥ」ネットワーク内の移動局ネットワーク機能要素である、請求項１記載の方法。
【請求項５】
前記情報要素が高速パケット・アクセスネットワーク「ＨＳＰＡ」又はロング・ターム・エボリューション「ＬＴＥ」ネットワーク内の占有情報要素である、請求項１記載の方法。
【請求項６】
モバイル・ブロードバンド・デバイス（１１０）を専用ゲートウェイ（１２０）に誘導するためのネットワーク・ノード（１１５）内の方法であって、前記専用ゲートウェイがモバイル・ブロードバンド・トラフィックに専用のものであり、
前記モバイル・ブロードバンド・デバイス（１１０）が無線通信ネットワーク（１００）内のユーザ装置（１０５）に含まれ、
前記ネットワーク・ノード（１１５）が、前記無線通信ネットワーク（１００）に含まれ、前記モバイル・ブロードバンド・デバイス（１１０）に接続されるようになされ、
前記方法が、
前記モバイル・ブロードバンド・デバイス（１１０）から接続要求メッセージを受信するステップ（４００）であって、前記接続要求が、前記デバイス（１１０）がブロードバンド・デバイスであることを示す情報要素を含み、前記専用ゲートウェイ（１２０）にモバイル・ブロードバンド・トラフィックを送信しなければならないことを示し、前記専用ゲートウェイへの接続のセットアップを要求するステップと、
アルゴリズムを選択するステップ（２０１、４０１）であって、前記選択したアルゴリズムが専用ゲートウェイ（１２０）を選択するようになされるステップと、
前記モバイル・ブロードバンド・デバイス（１１０）に接続受諾メッセージを送信するステップ（２０２、４０９）と、
前記無線通信ネットワーク（１００）に含まれるＤＮＳサーバと呼ばれるドメイン名サーバ（１３０）に更新メッセージを送信するステップ（２０３、４１０）と
を含む、方法。
【請求項７】
専用ゲートウェイ（１２０）を選択する前記ステップが、
前記ＤＮＳサーバ（１３０）に要求を送信するステップ（４０２）であって、前記要求が、モバイル・ブロードバンド・デバイス（１１０）を示す情報要素を含むアクセス・ポイント名「ＡＰＮ」文字列を含むステップと、
前記専用ゲートウェイ（１２０）のインターネット・プロトコル「ＩＰ」アドレスを受信するステップ（４０３）と
をさらに含む、請求項６記載の方法。
【請求項８】
専用ゲートウェイ（１２０）を選択する前記ステップが、
前記ＤＮＳサーバ（１３０）に要求を送信するステップ（４０４）と、
前記ＤＮＳサーバ（１３０）から代替ゲートウェイのリストを受信するステップ（４０５）と、
前記受信したリストから専用ゲートウェイ（１２０）を選択するステップと、
前記選択した専用ゲートウェイ（１２０）に関するインターネット・プロトコル「ＩＰ」アドレスを獲得するために前記ＤＮＳサーバ（１３０）に要求を送信するステップ（４０７）と、
前記選択した専用ゲートウェイ（１２０）の前記ＩＰアドレスを受信するステップ（４０８）と
をさらに含む、請求項６記載の方法。
【請求項９】
前記ネットワーク・ノード（１１５）がサービング汎用パケット無線サービス・サポート・ノード「ＳＧＳＮ」又はモビリティ管理エンティティ「ＭＭＥ」である、請求項６記載の方法。
【請求項１０】
前記専用ゲートウェイ（１２０）がゲートウェイ汎用パケット無線サービス・サポート・ノード「ＧＧＳＮ」又はサービング・ゲートウェイ「ＳＧＷ」／パケット・ゲートウェイ「ＰＧＷ」である、請求項６記載の方法。
【請求項１１】
前記情報要素が高速パケット・アクセス「ＨＳＰＡ」ネットワーク又はロング・ターム・エボリューション「ＬＴＥ」ネットワーク内の移動局ネットワーク機能要素である、請求項６記載の方法。
【請求項１２】
前記情報要素が高速パケット・アクセスネットワーク「ＨＳＰＡ」又はロング・ターム・エボリューション「ＬＴＥ」ネットワーク内の占有情報要素である、請求項６記載の方法。
【請求項１３】
モバイル・ブロードバンド・デバイス（１１０）内の装置（５００）であって、前記モバイル・ブロードバンド・デバイス（１１０）が専用ゲートウェイ（１２０）に誘導されるようになされ、前記専用ゲートウェイがモバイル・ブロードバンド・トラフィックに専用のものであり、
前記モバイル・ブロードバンド・デバイス（１１０）が無線通信ネットワーク（１００）内のユーザ装置（１０５）に含まれ、
前記モバイル・ブロードバンド・デバイス装置（５００）が、
接続要求メッセージを提供するようになされたプロセッサ（５０１）であって、前記接続要求が、前記デバイス（１１０）がブロードバンド・デバイスであることを示す情報要素を含み、前記専用ゲートウェイ（１２０）にモバイル・ブロードバンド・トラフィックを送信しなければならないことを示し、前記専用ゲートウェイへの接続のセットアップを要求する、プロセッサと、
前記無線通信ネットワーク（１００）に含まれるネットワーク・ノード（１１５）に前記接続要求メッセージを送信するようになされた送信機（５０２）と、
前記専用ゲートウェイ（１２０）のアドレス情報を含む接続受諾メッセージを前記ネットワーク・ノード（１１５）から受信するようになされた受信機（５０３）と、
前記接続受諾メッセージを保管するようになされたメモリ（５０４）と、
前記接続を使用して前記専用ゲートウェイ（１２０）にモバイル・ブロードバンド・トラフィックを送信するようになされた送信機（５０２）であって、前記専用ゲートウェイがモバイル・ブロードバンド・トラフィックに専用のものである送信機と
を含む、装置。
【請求項１４】
ネットワーク・ノード（１１５）内の装置（６００）であって、前記ネットワーク・ノード（１１５）がモバイル・ブロードバンド・デバイス（１１０）を専用ゲートウェイ（１２０）に誘導するようになされ、前記専用ゲートウェイがモバイル・ブロードバンド・トラフィックに専用のものであり、
前記モバイル・ブロードバンド・デバイス（１１０）が無線通信ネットワーク（１００）内のユーザ装置（１０５）に含まれ、
前記ネットワーク・ノード（１１５）が、前記無線通信ネットワーク（１００）に含まれ、前記モバイル・ブロードバンド・デバイス（１１０）に接続されるようになされ、
前記ネットワーク・ノード装置（６００）が、
前記モバイル・ブロードバンド・デバイス（１１０）から接続要求メッセージを受信するようになされた受信機（６０１）であって、前記接続要求が、前記デバイス（１１０）がブロードバンド・デバイスであることを示す情報要素を含み、前記専用ゲートウェイ（１２０）にモバイル・ブロードバンド・トラフィックを送信しなければならないことを示し、前記専用ゲートウェイへの接続のセットアップを要求する、受信機と、
前記受信した接続要求メッセージを保管するようになされたメモリ（６０２）と、
アルゴリズムを選択するようになされたプロセッサ（６０３）であって、前記選択したアルゴリズムが専用ゲートウェイ（１２０）を選択するようになされる、プロセッサと、
前記モバイル・ブロードバンド・デバイス（１１０）に接続受諾メッセージを送信するようになされた送信機（６０４）と、
前記無線通信ネットワーク（１００）に含まれ、前記ユーザ装置（１０５）に接続されるようになされたＤＮＳサーバと呼ばれるドメイン名サーバ（１３０）に更新メッセージを送信するようになされた送信機（６０４）と
を含む、装置。
【発明の詳細な説明】
【技術分野】
【０００１】
本発明は一般にモバイル・ブロードバンドに関する。詳細には、本発明は、ロング・ターム・エボリューション（ＬＴＥ）又は高速パケット・アクセス（ＨＳＰＡ）を使用して、進化型パケット・コア（ＥＰＣ）内のモバイル・ブロードバンド・デバイス用の専用ゲートウェイに関する。
【背景技術】
【０００２】
モバイル・ブロードバンドは世界中で勝利し続けている。モバイル・ブロードバンドを提供する事業者にとって、モバイル・ブロードバンドのユーザは、基本的に以前は存在しなかった新しい顧客区分と見なされる。このような顧客は主に、定額課金によるインターネットへの高速接続を探し求めている。事業者が提供するサービスに対する関心は電子メールなどの通常のインターネット・サービス・プロバイダ（ＩＳＰ）サービスに及ぶ可能性があるが、その他の点では事業者が提供するサービスに関する関心はほとんどないか又は全くない。基本的に、要求されているのは、純粋なインターネット接続、即ち、ビットパイプ・サービス（bit-pipe service）である。
【０００３】
現在のモバイル・システムは非常に機能が豊富であり、その機能の多くはモバイル・ブロードバンド顧客区分によって使用されない可能性が最も高い。従って、この区分用のモバイル・システムを単純化し、それにより装置コストを低減し、最終的により競争力のある定額料金を可能にする重大な潜在能力が存在するはずである。ラップトップ及びモバイル・インターネット・デバイス（ＭＩＤ）のベンダは内蔵の統合モバイル・ブロードバンド・モジュールを備えた自社製品を出荷し始めているので、モバイル・ブロードバンド・ユーザ用の特定の専用ゲートウェイを有する必要性はさらに重要であるはずである。
【０００４】
モバイル・ブロードバンド・ユーザを特定のゲートウェイ（及びゲートウェイＧＰＲＳサポート・ノード（ＧＧＳＮ））に誘導するための現在の技術は、加入者情報（例えば、特定のホーム・ロケーション・レジスタ（ＨＬＲ）パラメータ又は特定の国際移動加入者識別（ＩＭＳＩ）範囲）を使用するか又はアクセス・ポイント名（ＡＰＮ）のユーザ装置構成に依存するかのいずれかである。
【０００５】
モバイル・ブロードバンド・ユーザを専用ゲートウェイに誘導するために加入者情報に依存することは、ユーザが自分の加入者同定モジュール（ＳＩＭ）を異なるデバイス間で、例えば、自分のラップトップでインターネット・セッションを行っている時に自分の携帯電話から自分のラップトップに移動させる時に難題をもたらすものである。
【０００６】
第３世代パートナーシップ・プロジェクト（３ＧＰＰ）規格には、ビットパイプ・セグメントで有用な標準化された機能がいくつか存在する。一例は、専用ゲートウェイを選択するための加入者／ＡＰＮベースのメカニズムである。モバイル端末内に構成された加入又はＡＰＮに基づいて、ユーザは、低コストの専用ゲートウェイを介してインターネットに接続することができる。モバイル・ブロードバンド・ユーザを専用ゲートウェイに誘導するためにユーザ装置構成ＡＰＮに依存することは、事業者がすべてのユーザ装置内で適切な構成を保証するには厄介かつ困難で費用のかかるものである。
【発明の概要】
【発明が解決しようとする課題】
【０００７】
本発明の目的は、モバイル・ブロードバンド・ユーザを専用ゲートウェイに誘導するために改良されたメカニズムを提供することである。このメカニズムは、ネットワーク・アクセス・サーバ（ＮＡＳ）情報内の特定の指示をサービングＧＰＲＳサポート・ノード（ＳＧＳＮ）又はモビリティ管理エンティティ（ＭＭＥ）に常に送信するようにモバイル・ブロードバンド・デバイスがプログラミングされることに基づくものである。この指示を理解するＳＧＳＮ／ＭＭＥは、その選択アルゴリズムでこの知識を使用して、専用ゲートウェイ（ゲートウェイＧＰＲＳサポート・ノード（ＧＧＳＮ）又はサービング・ゲートウェイ（ＳＧＷ）／パケット・ゲートウェイ（ＰＧＷ））を選択する。アクセス・ポイント名（ＡＰＮ）デコレーションは、通常のゲートウェイと専用ゲートウェイとを区別するために使用される。それにより、事業者は、自分のドメイン名サーバ（ＤＮＳサーバ）を更新するだけで自分のネットワークに専用ゲートウェイを導入することができる。
【０００８】
このメカニズムは標準化するか、又は「スティッキー・フィーチャ（sticky feature）」として実装することができる。「スティッキー・フィーチャ」は、この装置を使用している時に事業者及びラップトップ供給業者に付加価値をもたらすであろう。付加価値は、例えば、追加の構成を必要とせずに、モバイル・ブロードバンド・デバイスを専用ゲートウェイに誘導することにすることができる。しかし、このメカニズムを標準化することも当然のことながら恩恵をもたらすであろう。
【０００９】
追加の目的及び利点は以下の説明から明白である。
【課題を解決するための手段】
【００１０】
上記の諸目的のうちの少なくとも１つは、本明細書に記載された解決策の諸態様及び諸実施形態の例による方法又は装置によって達成される。
【００１１】
上記の諸目的は、この解決策の第１の態様において、モバイル・ブロードバンド・デバイスを専用ゲートウェイに誘導するためのモバイル・ブロードバンド・デバイス内の方法を提供することによって達成される。モバイル・ブロードバンド・デバイスは無線通信ネットワーク内のユーザ装置に含まれる。無線通信ネットワークは、モバイル・ブロードバンド・デバイスに接続されるようになされたネットワーク・ノードを含む。モバイル・ブロードバンド・デバイスを専用ゲートウェイに誘導するために、このデバイスはネットワーク・ノードに接続要求メッセージ（attach request message）を送信する。この接続要求は、このデバイスがブロードバンド・デバイスであることを示す情報要素を含む。次に、モバイル・ブロードバンド・デバイスはそれと引き替えに、専用ゲートウェイのアドレス情報を含む接続受諾メッセージ（attach accept message）をネットワーク・ノードから受信し、専用ゲートウェイにトラフィックを送信する。  
【００１２】
この解決策の第２の態様では、モバイル・ブロードバンド・デバイスを専用ゲートウェイに誘導するためのネットワーク・ノード内の方法が提供される。モバイル・ブロードバンド・デバイスは無線通信ネットワーク内のユーザ装置に含まれる。無線通信ネットワークは、ユーザ装置に接続されるようになされたＤＮＳサーバを含む。ネットワーク・ノードは、無線通信ネットワークに含まれ、モバイル・ブロードバンド・デバイスに接続されるようになされる。ネットワーク・ノードはモバイル・ブロードバンド・デバイスから接続要求メッセージを受信する。受信した接続要求は、このデバイスがブロードバンド・デバイスであることを示す情報要素を含む。次に、ネットワーク・ノードはアルゴリズムを選択する。選択したアルゴリズムは、専用ゲートウェイを選択するようになされる。専用ゲートウェイが選択されると、ネットワーク・ノードは、モバイル・ブロードバンド・デバイスに接続受諾メッセージを送信し、ＤＮＳサーバに更新メッセージを送信する。
【００１３】
この解決策の第３の態様では、モバイル・ブロードバンド・デバイス内の装置が提供され、モバイル・ブロードバンド・デバイスは専用ゲートウェイに誘導されるようになされる。モバイル・ブロードバンド・デバイスは無線通信ネットワーク内のユーザ装置に含まれる。無線通信ネットワークは、モバイル・ブロードバンド・デバイスに接続されるようになされたネットワーク・ノードをさらに含む。モバイル・ブロードバンド・デバイス装置は、接続要求メッセージを提供するようになされたプロセッサを含む。この接続要求は、このデバイスがブロードバンド・デバイスであることを示す情報要素を含む。また、モバイル・ブロードバンド・デバイスは、ネットワーク・ノードに接続要求メッセージを送信するようになされた送信機と、専用ゲートウェイのアドレス情報を含む接続受諾メッセージをネットワーク・ノードから受信するようになされた受信機も含む。接続受諾メッセージはメモリに保管され、専用ゲートウェイへのトラフィックは送信機によって送信される。
【００１４】
この解決策の第４の態様では、ネットワーク・ノード内の装置が提供される。ネットワーク・ノードは、モバイル・ブロードバンド・デバイスを専用ゲートウェイに誘導するようになされる。モバイル・ブロードバンド・デバイスは無線通信ネットワーク内のユーザ装置に含まれる。無線通信ネットワークは、ユーザ装置に接続されるようになされたＤＮＳサーバを含む。ネットワーク・ノードは、無線通信ネットワークに含まれ、モバイル・ブロードバンド・デバイスに接続されるようになされる。ネットワーク・ノード装置は、モバイル・ブロードバンド・デバイスから接続要求メッセージを受信するようになされた受信機を含む。この接続要求は、このデバイスがブロードバンド・デバイスであることを示す情報要素を含む。また、装置は、受信した接続要求メッセージを保管するようになされたメモリと、アルゴリズムを選択するようになされたプロセッサも含む。選択したアルゴリズムは、専用ゲートウェイを選択するようになされる。送信機は、モバイル・ブロードバンド・デバイスに接続受諾メッセージを送信し、ＤＮＳサーバに更新メッセージを送信するようになされる。
【００１５】
専用ゲートウェイはモバイル・ブロードバンド・デバイスと事業者との間のトラフィックを誘導するために使用されるので、このモバイル・システムには、必要かつ必須のサービスのみを提供するように単純化されるという利点がある。専用ゲートウェイはモバイル・ブロードバンド・ユーザの要求に適合する特徴を有し、即ち、高度な特徴は要求されないので、ゲートウェイの複雑さが低減されている。これはモバイル・システムを最適化し、それにより装置コストを低減し、最終的により競争力のある定額料金を可能にするものである。その他の利点は、このメカニズムがシステム・アーキテクチャ・エボリューション（ＳＡＥ）／進化型パケット・コア（ＥＰＣ）とＧＧＳＮを備えた伝統的なＧｎベースのコア・ネットワークの両方に適用されることと、次世代ユニバーサル地上無線アクセスネットワーク（Ｅ−ＵＴＲＡＮ）とユニバーサル地上無線アクセスネットワーク（ＵＴＲＡＮ）／高速パケット・アクセス（ＨＳＰＡ）の両方で使用できることである。
【００１６】
次に、本発明の諸実施形態を例示する添付図面を参照して、この解決策について以下の詳細な説明でより詳細に説明する。
【図面の簡単な説明】
【００１７】
【図１】無線通信ネットワークを示すブロック図である。
【図２】モバイル・ブロードバンド・デバイスを専用ゲートウェイに誘導するための手順例を示す、流れと信号の複合図である。
【図３】モバイル・ブロードバンド・デバイス内の方法の諸実施形態を示す流れ図である。
【図４】ネットワーク・ノード内の方法の諸実施形態を示す流れ図である。
【図５】モバイル・ブロードバンド・デバイス装置の諸実施形態を示す概略ブロック図である。
【図６】ネットワーク・ノード装置の諸実施形態を示す概略ブロック図である。
【発明を実施するための形態】
【００１８】
モバイル・ブロードバンド顧客用のモバイル・システムを単純化し、それにより装置コストを低減し、最終的により競争力のある定額料金を可能にするための極めて単純で効果的な方法は、モバイル・ブロードバンド・デバイスからのトラフィックを専用ゲートウェイＧＰＲＳサポート・ノード（ＧＧＳＮ）又は専用サービング・ゲートウェイ（ＳＧＷ）／進化型パケット・コア（ＥＰＣ）内のパケット・ゲートウェイ（ＰＧＷ）に誘導することである。ＧＧＳＮ及びＳＧＷ／ＰＧＷは、単純にするため、以下ではいずれも「専用ゲートウェイ」と呼ぶ。このタイプの専用ゲートウェイは、低コストかつモバイル・ブロードバンド・ユーザの要求に適合する特徴を有するように特に装備し構成することができる。基本的に、必要なことは、常にモバイル・ブロードバンド・デバイスによって「１」に設定され、そうではない場合は「０」に設定される単一ビットの形のネットワーク・アクセス・サーバ（ＮＡＳ）情報内の指示だけである。これは、接続要求メッセージ内の移動局ネットワーク機能（Mobile Station Network Capability）情報要素又は占有情報要素（proprietary information element）としてのモバイル・ブロードバンド・デバイス（ＭＢＤ）情報要素で実装することができる。接続要求メッセージは、汎用パケット無線サービス（ＧＰＲＳ）又は複合ＧＰＲＳ接続を実行するためにユーザ装置からネットワークへのメッセージである。
【００１９】
図１は、ロング・ターム・エボリューション（ＬＴＥ）又は高速パケット・アクセス（ＨＳＰＡ）などの技術を使用する無線通信ネットワーク１００を示す概略ブロック図である。無線通信ネットワーク１００はユーザ装置１０５を含む。ユーザ装置１０５は、通信機能を備えた任意の適切な通信装置又は計算装置、例えば、移動局（ＭＳ）、携帯電話、携帯情報端末（ＰＤＡ）、ラップトップ、電気メータ、ＭＰ３プレーヤ又はポータブルＤＶＤプレーヤ又は同様のメディア・コンテンツ・デバイス、デジタル・カメラ、或いはＰＣなどの固定装置にすることができるが、これらに限定されない。ユーザ装置１０５はモバイル・ブロードバンド・デバイス１１０を含む。様々なタイプのワイヤレス高速インターネット・アクセスがモバイル・ブロードバンド・デバイス１１０を介してユーザ装置１０５のユーザに提供される。無線通信ネットワーク１００は、モバイル・ブロードバンド・デバイス１１０からの接続要求と、専用ゲートウェイ１２０を選択するためのアルゴリズムを処理する、サービングＧＰＲＳサポート・ノード（ＳＧＳＮ）又はモビリティ管理エンティティ（ＭＭＥ）などのネットワーク・ノード１１５をさらに含む。また、無線通信ネットワーク１００は、ＧＧＳＮ又はＳＧＷ／ＰＧＷなどのゲートウェイ１２０も含む。モバイル・ブロードバンド・デバイス１１０からインターネットなどのネットワーク１２５へのトラフィックは、ＧＧＳＮ又はＳＧＷ／ＰＧＷなどの専用ゲートウェイ１２０を介して行われる。ネットワーク１２５はドメイン名サーバ（ＤＮＳサーバ）１３０に接続される。ＤＮＳサーバ１３０は、ゲートウェイ１２０のドメイン名及びインターネット・プロトコル（ＩＰ）アドレスのデータベースを含む。
【００２０】
この解決策は、モバイル・ブロードバンド・デバイス１１０を示すＮＡＳ情報内の特定の指示をＳＧＳＮ又はＭＭＥ１１５に常に送信するようにモバイル・ブロードバンド・デバイス１１０がプログラミングされることと、従って、専用ゲートウェイ１２０を提供しなければならないことを提案している。この指示を理解するＳＧＳＮ／ＭＭＥ１１５は、その選択アルゴリズムでこの知識を使用して、専用ゲートウェイ１２０、ＧＧＳＮ又はＳＧＷ／ＰＧＷを選択する。アクセス・ポイント名（ＡＰＮ）デコレーションは、通常のゲートウェイと専用ゲートウェイとを区別するために使用される。それにより、事業者は、自分のＤＮＳサーバ１３０を更新するだけで自分のネットワークに専用ゲートウェイ１２０を導入することができる。
【００２１】
この解決策は標準化するか、又は「スティッキー・フィーチャ」、即ち、内蔵のモバイル・ブロードバンド・モジュールとして実装することができる。この解決策の付加価値は、追加の構成を必要とせずに、モバイル・ブロードバンド・デバイス１１０を専用ゲートウェイ１２０に誘導することである。しかし、このメカニズムを標準化することも当然のことながら恩恵をもたらすであろう。
【００２２】
モバイル・ブロードバンド・デバイス１１０を示すＮＡＳ情報内の特定の指示であって、常にトラフィックをＳＧＳＮ又はＭＭＥ１１５に送信するようにモバイル・ブロードバンド・デバイス１１０をプログラミングしなければならないという命令を与える特定の指示は、種々の方法で行うことができる。１つの代替例はそのメカニズムを標準化することである。第２の代替例はその特徴を「スティッキー・フィーチャ」として実装することである。
【００２３】
この解決策を「スティッキー・フィーチャ」として実装する場合、少なくとも２つの要件を満たさなければならない。
１．他のベンダからのコア・ネットワーク・ノードは、この指示を無視しなければならず、それによる影響を受けてはならない。
２．使用する占有解決策、即ち、内蔵モジュールは、その後の段階で第３世代パートナーシップ・プロジェクト（３ＧＰＰ）内に標準化されるその他のメカニズムと衝突してはならない。
【００２４】
これらの要件とともにモバイル・ブロードバンド・デバイス１１０の指示を伝達するための解決策は、この指示を含む新しい情報要素を定義することである。３ＧＰＰがそれを長期間使用する可能性がほとんどない場合、その範囲の上の方で新しい情報要素に関する情報要素ＩＤ（ＩＥＩ）が選択される。将来、この特徴がネットワーク内で事実上の標準になった時にこれが行われた場合、この情報要素ＩＤは常に３ＧＰＰで予約することができる。この新しい情報要素は、接続要求メッセージに入れてモバイル・ブロードバンド・デバイス１１０から渡される。接続要求は、ＧＰＲＳ又は複合ＧＰＲＳ接続を実行するためにユーザ装置１０５からネットワークに、例えば、ＳＧＳＮ又はＭＭＥに送信される。モバイル・ブロードバンド・デバイス１１０の指示に加えて、新しい情報要素は、例えば、ブロードバンド・デバイスの必須帯域幅などのその他の情報及び指示も含むことができる。
【００２５】
図２は、モバイル・ブロードバンド・デバイス１１０を専用ゲートウェイ１２０に誘導するための方法の一例を示す、流れと信号の複合図である。
【００２６】
ステップ２００
モバイル・ブロードバンド・デバイス１１０は、ネットワーク・ノード１１５、例えば、ＳＧＳＮ又はＭＭＥに接続要求を送信する。
【００２７】
前述の通り、接続要求はモバイル・ブロードバンド・デバイス１１０を示す情報要素を含み、これは、常にトラフィックをＳＧＳＮ又はＭＭＥ１１５に送信するようにモバイル・ブロードバンド・デバイス１１０をプログラミングしなければならないことを暗示する。この指示は、ＬＴＥ及びＨＳＰＡのいずれでも、接続要求メッセージ内の移動局ネットワーク機能という情報要素にすることができる。換言すれば、ユーザ装置１０５は、それが特定のタイプの装置、即ち、複雑な機能パッケージ又は大きい帯域幅を必要としない装置であることを示す。
【００２８】
移動局ネットワーク機能情報要素の目的は、ＧＰＲＳに関連するユーザ装置１０５の諸態様に関する情報をネットワーク・ノード１１５に提供することである。その内容は、ネットワーク・ノード１１５がユーザ装置１０５の動作を処理する方法に影響を及ぼす可能性がある。移動局ネットワーク機能情報要素は一般的なユーザ装置特性を示し、従って、明示的に示されたフィールドを除き、それが送信されるチャネルの周波数帯域とは無関係でなければならない。移動局ネットワーク機能情報要素は、最大１０オクテットの長さを有するタイプ４の情報要素である。
【００２９】
移動局ネットワーク機能情報要素内の指示はデバイスのタイプを示す。これは、モバイル・ブロードバンド最適化接続を使用できるかどうかを判断するためにネットワーク・ノード１１５によって使用される。この指示は、常にモバイル・ブロードバンド・デバイス１１０によって「１」に設定され、そうではない場合は「０」に設定される単一ビットの形にすることができる。
０    Ｎｏ  −  これはモバイル・ブロードバンド・デバイスではない。
１    Ｙｅｓ  −  これはモバイル・ブロードバンド・デバイスである。
【００３０】
移動局ネットワーク機能情報要素はＨＳＰＡ及びＬＴＥのいずれでも同じである。
【００３１】
１つの代替例では、この指示は、ＨＳＰＡ及びＬＴＥのいずれでも、接続要求内の占有情報要素であるモバイル・ブロードバンド・デバイス（ＭＢＤ）情報要素にすることができる。接続要求メッセージは、ＧＰＲＳ又は複合ＧＰＲＳ接続を実行するためにモバイル・ブロードバンド・デバイス１１０からネットワーク１１５に送信される。ＭＢＤ情報要素の目的は、この接続がモバイル・ブロードバンド・デバイス１１０から行われることをユーザ装置１０５が通知することである。従って、ネットワーク・ノード１１５は、モバイル・ブロードバンドのために最適化された接続セットアップ、例えば、高速インターネット・アクセスのために特徴及びコストが最適化された専用ゲートウェイ１２０を介する接続を適用することができる。ＭＢＤ情報要素は３オクテットの長さを有するタイプ４の情報要素である。占有情報要素が他のベンダからのデバイスによって読み取られた場合、この情報要素はこれらのデバイスによって無視され、それによって妨害されない。
【００３２】
モバイル・ブロードバンド・デバイス情報要素は以下の値を有することができる。
０    Ｎｏ  −  これはモバイル・ブロードバンド・デバイスではない。
１    Ｙｅｓ  −  これはモバイル・ブロードバンド・デバイスである。
【００３３】
ＭＢＤ情報要素はＨＳＰＡ及びＬＴＥのいずれでも同じにすることができる。
【００３４】
ステップ２０１
モバイル・ブロードバンド・デバイス１１０から受信した接続要求に基づいて、ネットワーク・ノード１１５、例えば、ＳＧＳＮ又はＭＭＥは、ユーザ装置１０５から事業者へのトラフィックに使用すべき専用ゲートウェイ１２０を選択するためのアルゴリズムを選択する。このアルゴリズムの選択はＡＰＮ解決の一部である。
【００３５】
このアルゴリズムの選択は種々の方法で行うことができる。１つの代替方法は、ＤＮＳ解決のために送信される前にモバイル・ブロードバンドを示す情報要素を含むＡＰＮ文字列、例えば、「．．．ｍｂ．．．」をデコレーションすることによるものである。
【００３６】
アルゴリズムを選択するためのもう１つの代替方法は、２つのステップでＤＮＳ解決を行うことによるものであって、第１のステップでは、専用ゲートウェイ１２０の新しい完全修飾ドメイン名（ＦＱＤＮ）、即ち、新しい代替ドメイン名のリストを受信するためにＤＮＳサーバ１３０への特定のＤＮＳ要求が送信される。第２のステップでは、ＳＧＳＮ／ＭＭＥ１１５は、モバイル・ブロードバンド・サービスとしてマークが付けられたドメイン名、例えば、「．．．ｍｂ．．．」を選択する。さらに、第３のステップでは、その専用ゲートウェイ１２０のＩＰアドレスを獲得するために、選択したドメイン名がＤＮＳサーバ１３０に送信される。
【００３７】
ステップ２０２
ネットワーク・ノード１１５はモバイル・ブロードバンド・デバイス１１０に接続受諾メッセージを送信する。
【００３８】
ステップ２０３
ネットワーク・ノード１１５は、その内容、例えば、データベースを専用ゲートウェイ１２０で更新するために、ＤＮＳサーバ１３０にメッセージを送信する。
【００３９】
ステップ２０４
ＤＮＳサーバ１３０は、その内容を更新し、従って、ネットワーク１２５に専用ゲートウェイ１２０を導入する。この更新は、専用ゲートウェイ１２０であるノードに関する特別な項目でＤＮＳサーバ１３０を構成することによって行うことができる。
【００４０】
ステップ２０５
モバイル・ブロードバンド・デバイス１１０はそのトラフィックを専用ゲートウェイ１２０に送信する。
【００４１】
次に、モバイル・ブロードバンド・デバイス１１０の見地から見た上記の方法について説明する。図３は、モバイル・ブロードバンド・デバイス１１０を専用ゲートウェイ１２０に誘導するためのモバイル・ブロードバンド・デバイス１１０内の本方法を記述する流れ図である。モバイル・ブロードバンド・デバイス１１０は無線通信ネットワーク１００内のユーザ装置１０５に含まれる。無線通信ネットワーク１００は、モバイル・ブロードバンド・デバイス１１０に接続されるようになされたネットワーク・ノード１１５をさらに含む。
【００４２】
この方法はモバイル・ブロードバンド・デバイス１１０内で実行すべき以下のステップを含む。
【００４３】
ステップ３００
モバイル・ブロードバンド・デバイス１１０はネットワーク・ノード１１５に接続要求メッセージを送信する。この接続要求はデバイス１１０がブロードバンド・デバイスであることを示す情報要素を含む。
【００４４】
任意選択で、ネットワーク・ノード１１５はＳＧＳＮ又はＭＭＥにすることができる。
【００４５】
任意選択で、情報要素はＨＳＰＡネットワーク又はＬＴＥネットワーク内の移動局ネットワーク機能要素にすることができる。
【００４６】
任意選択で、情報要素はＨＳＰＡネットワーク又はＬＴＥネットワーク内の占有情報要素にすることができる。
【００４７】
ステップ３０１
モバイル・ブロードバンド・デバイス１１０は、専用ゲートウェイ１２０のアドレス情報を含む接続受諾メッセージをネットワーク・ノード１１５から受信する。
【００４８】
任意選択で、専用ゲートウェイ１２０はＧＧＳＮ又はＳＧＷ／ＰＧＷにすることができる。
【００４９】
ステップ３０２
モバイル・ブロードバンド・デバイス１１０は専用ゲートウェイ１２０にトラフィックを送信する。
【００５０】
次に、ネットワーク・ノード１１５の見地から見た上記の方法について説明する。図４は、モバイル・ブロードバンド・デバイス１１０を専用ゲートウェイ１２０に誘導するためのネットワーク・ノード１１５内の本方法を記述する流れ図である。モバイル・ブロードバンド・デバイス１１０は無線通信ネットワーク１００内のユーザ装置１０５に含まれる。無線通信ネットワーク１００は、ユーザ装置１０５に接続されるようになされたＤＮＳサーバ１３０を含む。ネットワーク・ノード１１５は、無線通信ネットワーク１００に含まれ、モバイル・ブロードバンド・デバイス１１０に接続されるようになされる。
【００５１】
この方法はネットワーク・ノード１１５内で実行すべき以下のステップを含む。
【００５２】
ステップ４００
ネットワーク・ノード１１５はモバイル・ブロードバンド・デバイス１１０から接続要求メッセージを受信する。この接続要求はデバイス１１０がブロードバンド・デバイスであることを示す情報要素を含む。
【００５３】
任意選択で、ネットワーク・ノード１１５はＳＧＳＮ又はＭＭＥにすることができる。
【００５４】
任意選択で、専用ゲートウェイ１２０はＧＧＳＮ又はＳＧＷ／ＰＧＷにすることができる。
【００５５】
任意選択で、情報要素はＨＳＰＡ又はＬＴＥネットワーク内の移動局ネットワーク機能要素にすることができる。
【００５６】
任意選択で、情報要素はＨＳＰＡネットワーク又はＬＴＥネットワーク内の占有情報要素にすることができる。
【００５７】
ステップ４０１
ネットワーク・ノード１１５はアルゴリズムを選択する。選択したアルゴリズムは専用ゲートウェイ１２０を選択するようになされる。
【００５８】
ステップ４０２
これは任意選択のステップである。ネットワーク・ノード１１５からＤＮＳサーバ１３０に要求が送信される。この要求はモバイル・ブロードバンド・デバイス１１０を示す情報要素を含むＡＰＮ文字列を含む。
【００５９】
ステップ４０３
これは任意選択のステップである。ネットワーク・ノード１１５は専用ゲートウェイ１２０のＩＰアドレスを受信する。
【００６０】
ステップ４０４
これは任意選択のステップである。ネットワーク・ノード１１５はＤＮＳサーバ１３０に要求を送信する。
【００６１】
ステップ４０５
これは任意選択のステップである。ネットワーク・ノード１１５はＤＮＳサーバ１３０から代替ゲートウェイのリストを受信する。
【００６２】
ステップ４０６
これは任意選択のステップである。ネットワーク・ノード１１５はこのリストから専用ゲートウェイ１２０を選択する。
【００６３】
ステップ４０７
これは任意選択のステップである。ネットワーク・ノード１１５は選択した専用ゲートウェイ１２０に関するＩＰアドレスを獲得するためにＤＮＳサーバ１３０に要求を送信する。
【００６４】
ステップ４０８
これは任意選択のステップである。ネットワーク・ノード１１５は選択した専用ゲートウェイ１２０のＩＰアドレスを受信する。
【００６５】
ステップ４０９
ネットワーク・ノード１１５はモバイル・ブロードバンド・デバイス１１０に接続受諾メッセージを送信する。
【００６６】
ステップ４１０
ネットワーク・ノード１１５はＤＮＳサーバ１３０に更新メッセージを送信する。
【００６７】
モバイル・ブロードバンド・デバイス１１０を専用ゲートウェイ１２０に誘導するために図３に示されている方法ステップを実行するために、モバイル・ブロードバンド・デバイス１１０は、図５に示されているモバイル・ブロードバンド・デバイス装置５００を含む。モバイル・ブロードバンド・デバイス１１０は、専用ゲートウェイ１２０に誘導されるようになされ、無線通信ネットワーク１００内のユーザ装置１０５に含まれる。無線通信ネットワーク１００は、モバイル・ブロードバンド・デバイス１１０に接続されるようになされたネットワーク・ノード１１５をさらに含む。
【００６８】
モバイル・ブロードバンド・デバイス装置５００は、接続要求メッセージを提供するようになされたプロセッサ５０１を含む。接続要求は、デバイス１１０がブロードバンド・デバイスであることを示す情報要素を含む。また、モバイル・ブロードバンド・デバイス装置５００は、ネットワーク・ノード１１５に接続要求メッセージを送信するようになされた送信機５０２と、専用ゲートウェイ１２０のアドレス情報を含む接続受諾メッセージをネットワーク・ノード１１５から受信するようになされた受信機５０３も含む。これは受信した接続受諾メッセージを保管するようになされたメモリ５０４をさらに含み、送信機５０２は専用ゲートウェイ１２０にトラフィックも送信するようになされる。
【００６９】
モバイル・ブロードバンド・デバイス１１０を専用ゲートウェイ１２０に誘導するために図４に示されている方法ステップを実行するために、ネットワーク・ノード１１５は、図６に示されているネットワーク・ノード装置６００を含む。ネットワーク・ノード１１５は、モバイル・ブロードバンド・デバイス１１０を専用ゲートウェイ１２０に誘導するようになされる。モバイル・ブロードバンド・デバイス１１０は無線通信ネットワーク１００内のユーザ装置１０５に含まれる。無線通信ネットワーク１００は、ユーザ装置１０５に接続されるようになされたＤＮＳサーバ１３０を含む。ネットワーク・ノード１１５は、無線通信ネットワーク１００に含まれ、モバイル・ブロードバンド・デバイス１１０に接続されるようになされる。
【００７０】
ネットワーク・ノード装置６００は、接続要求メッセージをモバイル・ブロードバンド・デバイス１１０から受信するようになされた受信機６０１を含む。接続要求は、デバイス１１０がブロードバンド・デバイスであることを示す情報要素を含む。また、装置６００は、受信した接続要求メッセージを保管するようになされたメモリ６０２と、アルゴリズムを選択するようになされたプロセッサ６０３も含む。選択したアルゴリズムは専用ゲートウェイ１２０を選択するようになされる。接続受諾メッセージをモバイル・ブロードバンド・デバイス１１０に送信するようになされた送信機６０４もネットワーク・ノード装置６００に含まれる。送信機６０４は、更新メッセージをＤＮＳサーバに送信するようにさらになされる。
【００７１】
モバイル・ブロードバンド・デバイス１１０を専用ゲートウェイ１２０に誘導するためのこの解決策は、この解決策の諸機能を実行するためのコンピュータ・プログラム・コードとともに、図５及び図６に描写されているプロセッサ５０１、６０３などの１つ又は複数のプロセッサにより実装することができる。また、前述のプログラム・コードは、例えば、モバイル・ブロードバンド・デバイス１１０及びネットワーク・ノード１１５にロードされた時にこの解決策を実行するためのコンピュータ・プログラム・コードを担持するデータ・キャリアの形で、コンピュータ・プログラム・プロダクトとして提供することもできる。このようなキャリアの１つはＣＤ−ＲＯＭディスクの形にすることができる。しかし、これは、メモリ・スティックなどの他のデータ・キャリアでも実現可能である。さらに、コンピュータ・プログラム・コードは、サーバ上の純粋プログラム・コードとして提供し、リモートでモバイル・ブロードバンド・デバイス１１０及びネットワーク・ノード１１５にダウンロードすることができる。
【００７２】
要約すると、この解決策は、モバイル・ブロードバンド・ユーザ区分用のモバイル・システムの単純化及びコスト削減を可能にする。ビットパイプ・セグメント内の事業者のためのより競争力のある提供品もこの解決策によって可能になる。これは、ＳＡＥ／ＥＰＣとＧＧＳＮを備えた伝統的なＧｎベースのコア・ネットワークの両方に適用される。これは、次世代ユニバーサル地上無線アクセスネットワーク（Ｅ−ＵＴＲＡＮ）とユニバーサル地上無線アクセスネットワーク（ＵＴＲＡＮ）／ＨＳＰＡの両方で使用することができる。モバイル・ブロードバンド・ユーザ用の低コスト専用ゲートウェイを使用し、これを３Ｇダイレクト・トンネル（３ＧＤＴ）と結合し、ユーザ・プレーン用のＳＧＳＮをバイパスする事業者は、コア・ネットワークにおいて非常にコスト効率の高い解決策を有することになる。このようなユーザは多くの信号を発生しないので（典型的に、モビリティなしで１つのパケット・データ・プロトコル（ＰＤＰ）コンテキスト／ベアラのみ）、このようなユーザに関する制御プレーン・コストも低くなるであろう。
【００７３】
「含む（comprising）」という単語は列挙されているもの以外の要素又はステップの存在を排除するものではなく、要素の前の「ａ」又は「ａｎ」という単語は複数のこのような要素の存在を排除するものではないことに留意されたい。本発明は少なくとも一部分はハードウェア又はソフトウェアのいずれか一方で実装することができる。さらに、いずれの参照符号も特許請求の範囲を限定するものではなく、複数の「手段（means）」、「デバイス（device）」、及び「ユニット（unit）」は同じハードウェア項目によって表すことができることに留意されたい。
【００７４】
上述及び上記の諸実施形態は、例としてのみ示されており、本発明に限定するものであってはならない。下記の特許請求の範囲で請求された本発明の範囲内のその他の解決策、使用法、目的、及び機能は、当業者にとって明らかでなければならない。
【図１】
0005426017.tif 000002
【図２】
0005426017.tif 000003
【図３】
0005426017.tif 000004
【図４】
0005426017.tif 000005
【図５】
0005426017.tif 000006
【図６】
0005426017.tif 000007